(57)【要約】【課題】自転車や手荷物等を支持構造物に繋止するためのワイヤ錠の提供を目的とする。【解決手段】本発明は、フック部を有し、このフック部の開閉を制御する錠本体と、可撓性を有する直線状のワイヤ本体とを備えるワイヤ錠であって、ワイヤ本体の一端にループ部が形成され、他端に錠本体が連結され、錠本体がループ部に挿通可能であることを特徴とするワイヤ錠である。この錠本体のフック部がワイヤ本体に掛止可能であるとよい。また、この錠本体が施錠及び解錠を制御する複数個のダイヤルを備えるとよい。また、ワイヤ本体の外接円における直径が２ｍｍ以上６ｍｍ以下であること、ワイヤ本体が形状記憶特性を有さない弾性体であること、ワイヤ本体の可撓度が９００以上１５００以下であること、ワイヤ本体の外周に合成樹脂が被覆されていることが好ましい。【選択図】図１
2011080268.tif 000002
【特許請求の範囲】
【請求項１】
フック部を有し、このフック部の開閉を制御する錠本体と、可撓性を有する直線状のワイヤ本体とを備えるワイヤ錠であって、
上記ワイヤ本体の一端にループ部が形成され、他端に錠本体が連結され、
上記錠本体がループ部に挿通可能であることを特徴とするワイヤ錠。
【請求項２】
上記錠本体のフック部がワイヤ本体に掛止可能である請求項１に記載のワイヤ錠。
【請求項３】
上記錠本体が施錠及び解錠を制御する複数個のダイヤルを備える請求項１又は請求項２に記載のワイヤ錠。
【請求項４】
上記ワイヤ本体が、
複数の鋼線を撚り合わせてなる芯線と、
芯線の外周に螺旋状に捲回されるストランドと、
この芯線とストランドとの間に挟入される間質材とを有し、
上記ワイヤ本体の外接円における直径が２ｍｍ以上６ｍｍ以下である請求項１、請求項２又は請求項３に記載のワイヤ錠。
【請求項５】
上記ワイヤ本体が形状記憶特性を有さない弾性体である請求項１から請求項４のいずれか１項に記載のワイヤ錠。
【請求項６】
上記ワイヤ本体の可撓度が９００以上１５００以下である請求項１から請求項５のいずれか１項に記載のワイヤ錠。
【請求項７】
上記ワイヤ本体の外周に合成樹脂が被覆されている請求項１から請求項６のいずれか１項に記載のワイヤ錠。
【請求項８】
自転車用ワイヤ錠である請求項１から請求項７のいずれか１項に記載のワイヤ錠。
【発明の詳細な説明】
【技術分野】
【０００１】
本発明は、自転車や手荷物等を、街路樹等の支持構造物に繋止するためのワイヤ錠に関するものである。
【背景技術】
【０００２】
自転車やレジャー用品（キャンプ用品、サーフボード等）、手荷物品などを一時的に放置する場合に、これらの物品を盗難から保護する必要がある。特に、自転車においては、盗難防止の手段としてワイヤ錠が広く普及している。このワイヤ錠は、複数の鋼線を撚り合わせたワイヤと、このワイヤの両端部を鍵やダイヤル等により開閉する錠本体とを備えるものが一般的であり、このようなワイヤを自転車の前輪や後輪等に巻き付けて車輪の回転を規制したり、自転車の一部分と街路樹等の支持構造物とをワイヤで一体的に捲回し、錠本体により固定することで、自転車の運転や持ち去りによる盗難を防止することができる。
【０００３】
このような自転車用のワイヤ錠としては、例えば、（１）屈曲可能かつ引張りに対する剛性が高い長尺部材であるワイヤと、このワイヤの一端部に設けられた施錠杵と、他端部に設けられた錠本体とから形成されており、施錠時には施錠杵と錠本体とが係止状態に維持されて全体がループ状に形成される二輪車用錠において、錠本体の鍵孔形成面及び施錠杵と錠本体との係止箇所以外の部分が、軟質ゴム等により被覆されていることを特徴とする二輪車用錠が開発されている（特開２００８−５７１９７号公報参照）。また、（２）可撓性のあるワイヤロープの一端に接続された錠本体と、このワイヤロープの他端に設けられ、錠本体と係脱自在に係合する係合部とを備えたワイヤ錠が開発されている（特開２００５−６７４１２号公報参照）。このワイヤ錠のワイヤロープの周囲には、可撓性のある細いワイヤがコイル状に巻き付けられている。この細いワイヤは、両端部にループ部を有し、このループ部にワイヤロープが挿通可能であることを特徴とするものである。
【０００４】
しかしながら、（１）特開２００８−５７１９７号公報に開示の二輪車用錠は、ワイヤ自体は屈曲可能であるものの剛性が高く、所望の方向に自在に屈曲・変形させることが困難であり、取扱いが困難となる不都合がある。また、このワイヤの形状が単純なループ状であり、また、ワイヤの長さもある程度制限されることから、自転車各部への取り付け箇所や取り付けパターンが単純化し、その結果、ワイヤの１カ所を切断するのみでロックを解除でき、さらには自転車ごと持ち去られ盗難されるという不都合がある。また、（２）特開２００５−６７４１２号公報に開示のワイヤ錠は、ワイヤロープの周囲にコイル状に巻き付けられた可撓性のある細いワイヤを展開して構造物に巻き付けることで自転車を構造物に繋止することができるが、ワイヤ錠の構造が複雑化し、自転車と支持構造物との繋止及び離脱作業が容易ではなくなるという不都合がある。
【先行技術文献】
【特許文献】
【０００５】
【特許文献１】特開２００８−５７１９７号公報
【特許文献２】特開２００５−６７４１２号公報
【発明の概要】
【発明が解決しようとする課題】
【０００６】
本発明は、これらの不都合に鑑みてなされたものであり、シンプルな構造により一対の施錠対象物の連結及びその解除を容易かつ確実に実現することができ、さらに、軽量・コンパクトで持ち運びに便利なデザイン性の高いワイヤ錠の提供を目的とするものである。
【課題を解決するための手段】
【０００７】
上記課題を解決するためになされた発明は、
フック部を有し、このフック部の開閉を制御する錠本体と、可撓性を有する直線状のワイヤ本体とを備えるワイヤ錠であって、
上記ワイヤ本体の一端にループ部が形成され、他端に錠本体が連結され、
上記錠本体がループ部に挿通可能であることを特徴とするワイヤ錠である。
【０００８】
当該ワイヤ錠は、錠本体とワイヤ本体とから主として構成されるものであり、ワイヤ本体の一端に錠本体が連結され、他端にループ部が形成されるというスマートかつシンプルな構造を有する。このワイヤ本体は、可撓性を有する直線状の部材であることから、柔軟性が高く、容易に曲げ、捻ることができ、施錠対象物への捲回・固定や未使用時における収納・コンパクト化などの取扱いにおいて、極めて高い利便性を発揮することができる。
【０００９】
具体的には、フック部を有する当該錠本体は、ワイヤ本体のループ部に挿通可能であることから、一対の施錠対象物の一方にワイヤ本体を捲回させた後、ワイヤ本体のループ部に錠本体を一体的に挿通させ、次いで錠本体を施錠対象物の他方に捲回させた後にワイヤ本体にフック部を掛止させる等の種々の手段により、当該ワイヤ錠と一対の施錠対象物とを容易かつ確実に捲着・固定することができる。
【００１０】
通常のワイヤ錠は、ワイヤ本体の長さの約半分以下の距離にある一対の施錠対象物しか連結することができないが、当該ワイヤ錠は、上述の連結方法によると、ワイヤ本体の長さを有効に利用し、比較的離れた距離にある一対の施錠対象物を連結することができる。さらに、当該ワイヤ錠は、ワイヤ本体のループ部から比較的小さく捲回し、最後に錠本体をループ部に挿通することで、コンパクトに纏めることができ、収納性、持ち運び性等が向上する。
【００１１】
上述したように、上記錠本体のフック部は、ワイヤ本体に掛止可能であるとよい。この錠本体のフック部がワイヤ本体に掛止可能であることで、ワイヤ本体を施錠対象物に捲着した状態において、錠本体をワイヤ本体の任意の箇所に掛止し、当該ワイヤ錠と一対の施錠対象物とを確実に捲着できると共に、その捲着パターンの複雑化を図ることができる。
【００１２】
上記錠本体は、施錠及び解錠を制御する複数個のダイヤルを備えるとよい。この錠本体が施錠及び解錠を制御する複数個のダイヤルを備えることで、鍵や鍵穴を用意する必要がなく、錠本体のみで施錠及び解錠を制御できることから、ワイヤ錠の取扱い及び利便性が向上する。また、上記錠本体がダイヤル式であることで、錠本体を構成する部材の縮小化を図り、錠本体の小型化・コンパクト化を実現することができ、その結果、錠本体をワイヤ本体のループ部へ容易かつスムーズに挿通することができる。
【００１３】
上記ワイヤ本体は、複数の鋼線を撚り合わせてなる芯線と、芯線の外周に螺旋状に捲回されるストランドと、この芯線とストランドとの間に挟入される間質材とを有し、上記ワイヤ本体の外接円における直径が２ｍｍ以上６ｍｍ以下であるとよい。このワイヤ本体の芯線とストランドとの間に間質材が挟入され、外接円における直径が上記範囲に調整されることで、ワイヤ本体の柔軟性が向上し、ワイヤ本体の捲着作業が容易になると共に、不使用時における収納のコンパクト化を効果的に実現することができる。
【００１４】
上記ワイヤ本体は、形状記憶特性を有さない弾性体であるとよい。このワイヤ本体が形状記憶特性を有さない弾性体であることで、ワイヤ本体に屈曲・撚回等の負荷を加えて変形させた場合であっても、かかる負荷を解除すると、変形時の形状を記憶することなく元の形状に容易に復元することができ、取扱いの利便性をより一層向上することができる。
【００１５】
上記ワイヤ本体の可撓度としては、９００以上１５００以下が好ましい。このワイヤ本体の可撓度を上記範囲とすることで、ワイヤ本体の柔軟性や曲げやすさをより一層向上することができ、その結果、取扱いの簡便性を著しく向上することができる。
【００１６】
上記ワイヤ本体の外周に合成樹脂が被覆されているとよい。このワイヤ本体の外周に合成樹脂が被覆されていることで、ワイヤ本体の柔軟性及び取扱い容易性を確保しつつ、良好な耐久性、防水性及び防錆性をバランス良く付与することができる。
【００１７】
上記ワイヤ錠は、自転車用ワイヤ錠として好適に使用され得る。自転車は、特に盗難がされやすく、その構造や形状も複雑であることから、上記ワイヤ錠を自転車の盗難防止用具として用いることで、ワイヤ本体を自転車及び電柱等の施錠対象物に対して容易かつ確実に捲着・固定することができる。また、このような自転車用ワイヤ錠のワイヤ本体の捲着回数や捲着箇所を調整し、捲着パターンを複雑化することで盗難防止効果をさらに向上することができる。
【００１８】
ここで、「ワイヤ本体の外接円における直径」とは、ＪＩＳＧ−３５２５に規定されている「実際径の測定」に準拠した値である。「形状記憶特性」とは、ワイヤ本体を屈曲・撚回等して変形させた場合に、その変形した形状を継続的に維持する特性を意味する。「可撓度」とは、ワイヤロープの可撓性を定量的に表示するための尺度であり、ワイヤロープと等径の丸鋼棒の曲げ特性とワイヤロープの曲げ特性との比を意味する。
【発明の効果】
【００１９】
以上説明したように、本発明のワイヤ錠は、スマートかつシンプルな構造を有し、簡単な作業により、一対の施錠対象物を様々な捲着パターンで固定・繋止することができる。また、本発明のワイヤ錠は、未使用時においてコンパクトに纏めて持ち運ぶことが容易となることから、特に、自転車、レジャー用品、手荷物品等の盗難防止のために広く好適に使用され得る。
【図面の簡単な説明】
【００２０】
【図１】本発明に係るワイヤ錠の一実施形態を示す側面図である。
【図２】図１のワイヤ錠の錠本体の内部構造を一方の側面から見た側面図である。
【図３】図１のワイヤ錠の錠本体の内部構造を他方の側面から見た側面図である。
【図４】図１のワイヤ錠のワイヤ本体の模式的断面図である。
【図５】図１のワイヤ錠を一対の施錠対象物に捲着・固定した状態を示す模式図である。
【発明を実施するための形態】
【００２１】
以下、適宜図面を参照しつつ本発明の実施の形態を詳説する。
【００２２】
図１のワイヤ錠１は、錠本体２及びワイヤ本体３を備える。
【００２３】
錠本体２は、ワイヤ本体３に掛止することで、施錠対象物と、施錠対象物に捲回したワイヤ本体３とを一体的に固定するための部材である。この錠本体２は、ボディ部４と、フック部５と、フック部５の開閉を制御するゲート部６と、フック部５及びゲート部６の施錠及び解錠を調整する施錠・解錠制御機構７と、ワイヤ本体３との連結部８とを主として備える。なお、ボディ部４は、後述するダイヤル１５の表面に記された番号を確認するための切欠部分（窓）を有する。
【００２４】
フック部５は、ボディ部４から一体的に延出・湾曲する部材であり、ワイヤ本体３に掛止することができる。このフック部５の先端凸部９（図示せず）がゲート部６の先端凹部１０（図示せず）にスライドして嵌合することで、フック部５及びゲート部６が互いに連結して閉止し、その結果、掛止されたワイヤ本体３が錠本体２から離脱することを防ぐことができる。
【００２５】
ゲート部６は、図２及び図３に示す通り、その一部がボディ部４の内部に埋設されており、ピン１１を回転軸として上下に揺動する。このゲート部６の揺動は、ボディ部４内部においてピン１１に捲着されるバネ弾性体１２の弾性運動と連動する。このようなゲート部６の揺動及びピン１１の弾性運動の連動により、ゲート部６の一部を押圧すると、ゲート部６がピン１１を回転軸としてボディ部４内部に沈降し、押圧を解除するとボディ部４内部より跳ね上がり、ゲート部６の先端凹部１０がフック部５の先端凸部９に嵌合する。また、ゲート部６には、後述するように、ゲート６の揺動を阻止するためのストッパ１３が一体的に形成されている。なお、ピン１１の素材としては、特に限定されるものではなく、例えば形状記憶合金などの金属等が挙げられる。
【００２６】
施錠・解錠制御機構７は、フック部５及びゲート部６の閉止・開放を制御することで、錠本体２の施錠及び解錠を調整する。具体的には、フック部５及びゲート部６が連結し閉止した状態を維持するのが施錠制御であり、フック部５及びゲート部６が自在に開閉可能な状態を維持するのが解錠制御である。この施錠・解錠制御機構７の種類としては、特に限定されないが、複数個のダイヤルを備えるダイヤル式であることが好ましい。かかる施錠・解錠制御機構７がダイヤル式の施錠・解錠制御機構であることにより、鍵や鍵穴を用意する必要がなく、施錠・解錠の取扱い及び利便性が向上する。
【００２７】
上記ダイヤル式の施錠・解錠制御機構７の構造を詳説すると、ダイヤル式の施錠・解錠制御機構７は、図２及び図３に示す通り、軸部１４、ダイヤル１５、設定カム１６、圧接用スプリング１７、暗証番号設定キャップ１８、ロックプレート１９及びリターンスプリング（図示せず）を主として有する。さらに、ロックプレート１９は、凸状カム部２０及びストッパ２１を備える。
【００２８】
軸部１４は、ダイヤル１５、設定カム１６、圧接用スプリング１７及び暗証番号設定キャップ１８を嵌合・配設させるための基礎となる部材である。この軸部１４は、略円柱状の形状を有し、ボディ部４内部において等間隔に３本突設されている。
【００２９】
ダイヤル１５は、中心部に軸部１４を挿通するための中心孔が設けられており、かかる中心孔に軸部１４が挿通することで回転可能となる円盤状の部材である。このダイヤル１５には、表面側に０番から９番までの数字が同心円状かつ等間隔に記されている。一方、ダイヤル１５の裏面側には、上記中心孔と同心円状に円形の凹部（図示せず）が形成されており、この凹部内には上記数字０番から９番に対応する１０個の球面状突起（図示せず）が形成されている。また、後述する通り、ダイヤル１５の中心孔は、暗証番号設定キャップ１８を挿通可能な大きさに調整されている。
【００３０】
設定カム１６は、ダイヤル１５の裏面側の円形凹部に遊嵌する径を有する円盤状の部材である。この設定カム１６には、中心部に軸部１４を挿通するための中心孔と、ダイヤル１５裏面の球面状突起と合致する位置に配設される１０個の球面状凹部（図示せず）と、ロックプレート１９の凸状カム部２０に遊嵌する形状の切欠部とがそれぞれ形成されている。また、後述する通り、設定カム１６の中心孔は、暗証番号設定キャップ１８を挿通できない大きさに調整されている。
【００３１】
圧接用スプリング１７は、軸部１４に嵌合するものであり、設定カム１６の中心孔を挿通することなく設定カム１６を裏面側から押圧するコイル状の部材である。この圧接用スプリング１７は、軸部１４に嵌合した状態において、設定カム１６の裏面に弾接し、設定カム１６の表面をダイヤル１５の裏面凹部に圧接させることで、上記ダイヤル１５裏面凹部の球面状突起を設定カム１６表面の球面状凹部に遊嵌することができる。このように、ダイヤル１５裏面凹部の球面状突起が設定カム１６表面の球面状凹部に遊嵌した状態で、ダイヤル１５及び設定カム１６は、軸部１４を中心に一体的に回転することができる。
【００３２】
暗証番号設定キャップ１８は、一端が開放し、他端が閉塞する略円筒状の部材であり、軸部１４にダイヤル１５、設定カム１６及び圧接用スプリング１７が嵌合している状態において、さらにダイヤル１５の上部から軸部１４に嵌合するものである。暗証番号設定キャップ１８は、ダイヤル１５の中心孔を挿通可能であるが、設定カム１６の中心孔を挿通することはできない。その結果、暗証番号設定キャップ１８を押圧すると、暗証番号設定キャップ１８が設定カム１６の表面を圧接し、ダイヤル１５裏面凹部の球面状突起と設定カム１６表面の球面状凹部との遊嵌を解除することができる。
【００３３】
ロックプレート１９及びリターンスプリングは、ボディ部４内部において、設定カム１６と略同一高さの位置に配置される部材である。ロックプレート１９は、上記３個のダイヤル１５の配列方向にシフト移動可能であり、リターンスプリングを介してダイヤル１５の配列方向に沿った方向に付勢される。このリターンスプリングは、一端がロックプレート１９に弾接し、他端がボディ部４内部の壁面に弾接することで、ダイヤル１５の配列方向への付勢力を発揮することができる。
【００３４】
上記ロックプレート１９には、ダイヤル１５の配列方向に突出する凸状カム部２０が一体的に形成されている。この凸状カム部２０は、設定カム１６の切欠部内に遊挿可能な相似形状を有している。また、ロックプレート１９には、図３に示す通り、ダイヤル１５の配列方向と直交する方向にストッパ２１が一体的に形成されている。
【００３５】
このように、錠本体２は、錠本体２を構成する各部材がコンパクトかつ一体的に構成されており、錠本体２のサイズの大幅な縮小化を実現することができる。その結果、錠本体２は、後述するように、ワイヤ本体３のループ部２２を容易かつスムーズに挿通することができる。なお、錠本体２を構成する上記部材の素材としては、特に限定されるものではなく、例えば鉄などの金属やセラミックス等が挙げられる。
【００３６】
連結部８は、錠本体２とワイヤ本体３とを連結するための部分である。かかる連結部８は、ボディ部４において、ゲート部６及び施錠・解錠制御機構７の機能を阻害しない任意の箇所に連結穴を穿設して形成される。この連結部８にワイヤ本体３を挿通・繋着することで、錠本体２とワイヤ本体３とを強固に連結することができる。なお、この連結部８において挿通・繋着されたワイヤ本体３は、後述するループ部２２と同様のループ構造を採用することができる。
【００３７】
ワイヤ本体３は、可撓性を有する直線状のワイヤであり、一対の施錠対象物を捲回・繋止するための部材である。このワイヤ本体３の一端には上述した錠本体２が連結され、他端にはループ部２２が形成される。このワイヤ本体３の構造を詳説すると、図４に示す通り、ワイヤ本体３は、複数の鋼線２３から構成される１本の芯線２４と、複数の鋼線２３から構成される６本のストランド２５と、芯線２４とストランド２５との間に挟入される間質材２６とを有する。
【００３８】
ループ部２２は、街路樹や電柱等の施錠対象物に捲回したワイヤ本体３を挿通するための部分である。かかるループ部２２の構造を詳説すると、長手方向に延伸するワイヤ本体３の一端が屈折・湾曲し、このワイヤ本体３の先端部がワイヤ本体３に固定されることでループが形成される。このループ部２２は、錠本体２及びワイヤ本体３を一体的に挿通させることができるため、ワイヤ本体３の施錠対象物への捲着・離脱操作が容易となる。なお、このループ部２２の中空部分の面積については、特に限定されず、錠本体２が挿通可能である程度の面積であればよい。
【００３９】
上述したループ部２２を形成する際のワイヤ本体３の先端部とワイヤ本体３との固定手段については、特に限定されず、例えばワイヤ本体３の先端部とワイヤ本体３との接触部分をアルミ等の金属素管によりプレス・被覆し、この金属の周囲を更に合成樹脂等で被覆することが挙げられる。このように、ワイヤ本体３の先端部とワイヤ本体３との接触部分を金属及び合成樹脂で被覆することで、ループ部２２の強度及び耐久性を向上させ、ループ部２２におけるループの解除や破損を効果的に防止することができる。
【００４０】
鋼線２３は、芯線２４及びストランド２５を構成する最小単位の素線である。この鋼線２３の素材としては、特に限定されず、例えばピアノ鋼線、硬鋼線、ＰＣ硬鋼線、オイルテンパー鋼線、亜鉛メッキ鋼線、ステンレス鋼線、チタン鋼線、チタン合金鋼線等が挙げられ、中でも、許容応力が高く、繰り返し荷重に対する高い耐久力を有するピアノ鋼線であることが好ましい。
【００４１】
芯線２４は、鋼線２３を複数撚り合わせて形成される。この芯線２４の撚り合わせの構造については、特に限定されず、例えば１本の鋼線２３に６本の鋼線２３を撚り合わせるとよい。このように、１本の鋼線２３に６本の鋼線２３を撚り合わせることで、芯線２４の引張強度及び柔軟性をバランス良く発揮することができる。
【００４２】
ストランド２５は、鋼線２３を複数撚り合わせて形成され、芯線２４の外周に螺旋状に捲回される。かかるストランド２５の撚り合わせの構造については、特に限定されず、上述した芯線２４の場合と同様に、１本の鋼線２３に６本の鋼線２３を撚り合わせてストランド２５の柔軟性を向上することができる。また、１本の鋼線２３に６本の鋼線を撚り合わせつつ、その周囲に更に９本の鋼線２３を撚り合わせて２層構造とすることもできる。このように、ストランド２５を構成する鋼線２３を２層構造とすることで、ストランド２５の柔軟性及び非自転性をバランス良く発揮することができる。また、芯線２４に捲回されるストランド２５の数は、特に限定されないが、ワイヤ本体３に良好な柔軟性及び耐衝撃性を付与するためには、６ストランドであることが好ましい。
【００４３】
なお、芯線２４及びストランド２５を鋼線２３のみから撚り合わせることも可能であるが、鋼線２３の種類として、鋼線以外の繊維、例えば炭素繊維、アラミド繊維、ボロン繊維、ガラス繊維等を１種単独又は２種以上を併用して撚り合わせることもできる。
【００４４】
間質材２６は、芯線２４と、この芯線２４の外周に捲回されるストランド２５との間に挟入され、ワイヤ本体３に良好な柔軟性を付与する部材である。この間質材２６の素材としては、例えば天然繊維、合成繊維、天然繊維又は合成繊維に潤滑油を含浸させたもの、熱可塑性樹脂等が挙げられる。
【００４５】
上記天然繊維としては、例えばコットン、シルク、羊毛、麻、パルプ等が挙げられる。上記合成繊維としては、例えばナイロン繊維、ポリエチレン繊維、ポリプロピレン繊維、ポリスチレン繊維、ポリエステル繊維、ポリアミド繊維、アクリル繊維、ポリビニルアルコール繊維、ポリエチレンテレフタレート繊維、ウレタン繊維、アクリル繊維、エチレン酢酸ビニル繊維等が挙げられる。中でも、柔軟性及び耐久性をバランス良く発揮することができるポリエチレン繊維を採用することが好ましい。また、潤滑油としては、例えば鉱物性、動物性、植物性のものを１種単独又は２種以上併用して使用することができる。
【００４６】
上記熱可塑性樹脂としては、例えばポリエチレン、高密度ポリエチレン、中密度ポリエチレン、低密度ポリエチレン、ポリプロピレン、エチレン−プロピレン共重合体、エチレン酢酸ビニル共重合体、ポリ塩化ビニル、ポリ塩化ビニリデン、ポリスチレン、ポリ酢酸ビニル、ポリテトラフルオロエチレン、アクリロニトリルブタジエンスチレン樹脂、アクリル樹脂、ポリアミド、ナイロン、ポリアセタール、ポリカーボネート、変性ポリフェニレンエーテル、ポリブチレンテレフタレート、ポリエチレンテレフタレート、グラスファイバー強化ポリエチレンテレフタレート、環状ポリオレフィン、ポリフェニレンスルファイド、ポリテトラフロロエチレン、ポリスルホン、ポリエーテルサルフォン、非晶ポリアリレート、ポリエーテルエーテルケトン、熱可塑性ポリイミド、ポリアミドイミド等が挙げられる。中でも、良好な柔軟性を発揮すると共に、入手容易であり低コスト化を図ることができるポリエチレンを採用することが好ましい。
【００４７】
ワイヤ本体３の外接円における直径としては、２ｍｍ以上６ｍｍ以下が好ましく、２．５ｍｍ以上３．５ｍｍ以下がより好ましい。このワイヤ本体３の外接円における直径を上記範囲とすることで、ワイヤ本体３の柔軟性が向上し、ワイヤ本体３の捲回や変形が容易となる。また、ワイヤ本体３の柔軟性が向上することで、ワイヤ錠１の不使用時においてワイヤ本体３を捲き纏め、コンパクト化を容易に実現することができる。なお、このワイヤ本体３の外接円における直径が２ｍｍ未満であると、ワイヤ本体３の柔軟性は向上するものの引張強度や耐久性が著しく低下するため好ましくない。また、ワイヤ本体３の外接円における直径が６ｍｍを超えると、ワイヤ本体３の柔軟性が低下し、取扱いの簡便性が低下すると共に、ワイヤ本体３が大型化し、コンパクト化を図ることが困難となるため好ましくない。
【００４８】
上記ワイヤ本体３は、形状記憶特性を有さない弾性体である。このように、ワイヤ本体３は、形状記憶特性を有さず、かつ弾性体であることから、ワイヤ本体３に屈曲・撚回等の負荷を加えて変形させた場合でも、かかる負荷を解除すると、新たに外部から負荷を加えるなど特段の事情がない限り、変形時の形状を記憶することなく元の形状（長手方向に伸長する直線状の形状）に容易に復元することができる。その結果、ワイヤ本体３は、三次元におけるあらゆる方向に対して自在に屈曲・撚回等することができ、表面形状が複雑で凹凸の多い施錠対象物（自転車、街路樹等）に対し容易に捲着することができる。
【００４９】
上記ワイヤ本体３の可撓度（ｆｌｅｘｉｂｉｌｉｔｙ  ｎｕｍｂｅｒ）としては、９００以上１５００以下が好ましく、１２００以上１４００以下がより好ましい。このワイヤ本体３の可撓度は、ワイヤロープの曲げやすさを表す尺度である。かかる可撓度をＦ、鋼棒の縦弾性係数をＥ、ワイヤロープの曲げ剛性弾性係数をＥｆ、ワイヤロープと同一外径の丸棒の断面二次モーメントをＩ、ワイヤロープの断面二次モーメントをＩｒとすると、可撓度Ｆは、下記数式（１）により算出される。このようにして算出されるワイヤロープの可撓度Ｆは、丸鋼棒の可撓度Ｆ＝１を基準として定量的に示すことができ、Ｆの値が大きいワイヤロープほど曲げやすいことを意味する。このワイヤ本体３の可撓度を上記範囲とすることで、ワイヤ本体３の柔軟性や曲げやすさを向上することができ、取扱いの簡便性を著しく向上することができる。このワイヤ本体３の可撓度が９００未満であると、ワイヤ本体３の柔軟性・曲げやすさが低下し、取扱いの簡便性が低下するため好ましくない。また、ワイヤ本体３の可撓度が１５００を超えるとワイヤ本体３が過度に柔軟となり、曲げ応力による破損・破断が生じやすくなるため好ましくない。
Ｆ＝（Ｅ＊Ｉ）／（Ｅｆ＊Ｉｒ）・・・数（１）
【００５０】
上記ワイヤ本体３の長さは、特に限定されるものではない。例えば、ワイヤ本体３の長さは、３ｍ以上５ｍ以下とすることができる。このワイヤ本体の長さを３ｍ以上５ｍ以下とすることで、施錠対象物の形状が大きく複雑である場合でも、ワイヤ本体３を十分に捲回・捲着することができる。また、ワイヤ本体３の長さを、１．５ｍ以上２ｍ以下とすることもできる。このワイヤ本体３の長さを１．５ｍ以上２ｍ以下とすることで、未使用時における巻回によるコンパクト化を容易に実現することができる。なお、ワイヤ本体３の長さは、連結部８及びループ部２２を含まない部分の長さを意味する。
【００５１】
上記ワイヤ本体３の外周を合成樹脂層２７で被覆するとよい。このように、ワイヤ本体３の外周に合成樹脂が被覆されていることで、ワイヤ本体３の柔軟性及び取扱い容易性を確保しつつ、良好な耐久性、防水性及び防錆性をバランス良く付与することができる。
【００５２】
上記合成樹脂層２７の素材としては、特に限定されず、例えばポリウレタン、ナイロンエラストマー、ポリエーテルブロックアミド、ポリエチレン、ポリプロピレン、ポリ塩化ビニル、ポリアミド、ポリスチレン、フッ素系樹脂、シリコーン樹脂、酢酸ビニル等を１種単独又は２種以上併用して使用することができる。中でも、良好な柔軟性を発揮すると共に入手が容易であるポリ塩化ビニルを採用することが好ましい。なお、合成樹脂層２７の色彩としては、特に限定されず、意匠的な効果及び防犯強化の面を考慮し、蛍光色等の視覚的に目立つ色彩が好ましい。
【００５３】
次に、ワイヤ錠１の使用方法について説明する。
【００５４】
＜錠本体２の施錠・解錠方法＞
上述のボディ部４の窓には、３個のダイヤル１５の数字の組合せが表示されており、この数字の組合せが、以下に詳説する暗証コード（初期コード、開放コード）に相当する。錠本体２における暗証コードの設定前（初期状態）において、初期コードは「０００」に設定されている。この初期状態において、３つの設定カム１６の切欠部は同一方向に向いており、これらの切欠部と凸状カム部２０とが全て遊嵌することで、ゲート部６のストッパ１３とロックプレート１９のストッパ２１とが衝突しない状態を維持している。また、この初期状態において、ダイヤル１５裏面凹部の球面状突起と設定カム１６表面の球面状凹部とが遊嵌した状態を維持している。
【００５５】
上記初期状態において、施錠・解錠制御機構７の暗証番号設定キャップ１８を押圧すると、ダイヤル１５は回転可能であるものの、設定カム１６の回転が阻止される。この暗証番号設定キャップ１８を押圧したままの状態でダイヤル１５を回転操作すると、ダイヤル１５の球面状突起が設定カム１６の球面状凹部から離脱し、ダイヤル１５のみが設定カム１６を残したまま回転する。このようなダイヤル１５の回転操作により、初期コード「０００」から任意の開放コード（例えば「３２９」）を設定した後、その操作を止めて暗証番号設定キャップ１８の押圧を解除すると、圧接用スプリング１７の付勢力により、ダイヤル１５の球面状突起と設定カム１６の球面状凹部とが再び遊嵌し、ダイヤル１５と設定カム１６とが一体化する。従って、開放コードが設定された状態において、３つのダイヤル１５を開放コードに合わせると、設定カム１６の切欠部は同一方向を向き、これらの切欠部と凸状カム部２０とが全て遊嵌する。なお、この状態において、ダイヤル１５を再び「０００」に合わせても、設定カム１６の切欠部が全て同一方向に向くことはない。
【００５６】
上述の通り、３つのダイヤル１５を開放コードに合わせると、設定カム１６の切欠部は同一方向に向き、これらの切欠部と凸状カム部２０とが全て遊嵌することから、ゲート部６のストッパ１３とロックプレート１９のストッパ２１とが衝突することはなく、その結果、ゲート部６の一部を押圧すると、ゲート部６は、ピン１１を回転軸としてボディ部４内部に揺動し、ゲート部６とフック部５との連結が解除される。従って、ゲート６の一部を押圧してゲート部６とフック部５とに隙間を生じさせ、かかる隙間にワイヤ本体３を挿入させることで、錠本体２のワイヤ本体３への掛止が実現する。
【００５７】
一方、３つのダイヤル１５をランダムに回転させて開放コードを解除すると、設定カム１６の切欠部及びロックプレート１９の凸状カム部２０における全部又は一部の遊嵌が解除され、その結果、ロックプレート１９の凸状カム部２０が設定カム１６の切欠部を超えて乗り上げる。すると、リターンスプリングの付勢力によりロックプレート１９がシフト移動し、ゲート部６のストッパ１３とロックプレート１９のストッパ２１とが衝突することから、ゲート部６の揺動が不可能となり、フック部５及びゲート部６が連結された状態（施錠状態）を維持することができる。
【００５８】
＜ワイヤ錠１の施錠対象物及び支持構造物への捲着方法＞
図５に示す通り、電柱、街路樹、柵、ガードレール等の施錠対象物Ｐに対し、ワイヤ本体３を捲回しつつ、ループ部２２に錠本体２及びワイヤ本体３を一体的に挿通し、施錠対象物とワイヤ本体３とを捲着する。次いで、かかるワイヤ本体３を自転車等の施錠対象物Ｑに対しても捲回し、錠本体２をワイヤ本体３に掛止して錠本体２を上述の方法により施錠する。このように、ワイヤ錠１の取扱いは単純かつ簡便なものであり、一対の施錠対象物Ｐ及びＱを容易かつ確実に捲着、固定、繋止することができ、その結果、施錠対象物Ｑの盗難を効果的に防止することができる。なお、この捲着手段については、ワイヤ本体３の長さが、例えば３ｍ以上５ｍ以下程度であれば、施錠対象物に対して何重にも捲着させることや、錠本体２をループ部２２に掛止して比較的大型の施錠対象物を一体的に捲着することができる。
【００５９】
なお、本発明のワイヤ錠は上記実施形態に限定されるものではない。例えば、本発明のワイヤ錠は自転車用ワイヤ錠として好適に使用され得る。自転車は、一般的に移動性や利便性が高く、屋外において使用し駐輪するものであるから、盗難が非常に容易である。従って、本発明を自転車用ワイヤ錠として使用すると、自転車の複雑な構造によらずワイヤを捲回して自転車を効果的に捲着・固定することができる。また、自転車用ワイヤ錠のワイヤを自転車に対して何重にも複雑に捲回させることで、その捲着パターンが複雑であればあるほど捲着の解除が困難となり、その結果、盗難防止効果をさらに向上することができる。なお、自転車用ワイヤ錠は、自転車のサドル座裏面にブリッジ状に配設されるサドルレールに捲着・固定することも可能であり、サドルを取り外して持ち去ることによる盗難をも効果的に防止することができる。さらに、本発明のワイヤ錠は、自転車用ワイヤ錠としての用途に限らず、例えば自動車、バイク、レジャー用品、キャンプ用品等の用途に対しても広く好適に使用され得る。
【産業上の利用可能性】
【００６０】
以上のように、本発明のワイヤ錠は、スマートかつシンプルな構造を有することから、ワイヤ錠を構成する部品の種類や数量を大幅に削減することができると共に、特殊な部材を準備することなく容易に製造することができるため、大量生産や低コスト化を実現することができる。
【符号の説明】
【００６１】
１    ワイヤ錠
２    錠本体
３    ワイヤ本体
４    ボディ部
５    フック部
６    ゲート部
７    施錠・解錠制御機構
８    連結部
１１  ピン
１２  バネ弾性体
１３  ストッパ
１４  軸部
１５  ダイヤル
１６  設定カム
１７  圧接用スプリング
１８  暗証番号設定キャップ
１９  ロックプレート
２０  凸状カム部
２１  ストッパ
２２  ループ部
２３  鋼線
２４  芯線
２５  ストランド
２６  間質材
２７  合成樹脂層
Ｐ    施錠対象物
Ｑ    施錠対象物
【図１】
2011080268.tif 000003
【図２】
2011080268.tif 000004
【図３】
2011080268.tif 000005
【図４】
2011080268.tif 000006
【図５】
2011080268.tif 000007